(57)【要約】【課題】分解可能で、分解後に各部品が嵩張ることがなく、保管に要するスペースを削減可能なパレットを提供する。【解決手段】面板２と、面板が載置される脚部３とを備え、脚部は、長板状で、長手方向の両端部に係合凹凸部３２と、中央部に切欠部３３、３４と、切欠部を挟んで厚さ方向に貫通する２つの開口部３６とが形成された６つの脚部部材３０を用いて形成され、４つの脚部部材が各々係合凹凸部同士を係合させて着脱可能に連結して外枠３１０が形成され、２つの脚部部材が切欠部同士を係合させて着脱可能に連結して十字形の内枠３００が形成され、内枠を構成する脚部部材の各々の係合凹凸部が、外枠を構成する脚部部材の各々の切欠部と着脱可能に係合することで、内枠が外枠に連結されているパレット。面板は、板状で周縁部に係合凹凸部２２が形成された複数の面板部材２０を、係合凹凸部同士を係合することで着脱可能に連結して形成することができる。【選択図】図１
2018138466.tif 000002
【特許請求の範囲】
【請求項１】
面板と、前記面板が載置される脚部とを備えたパレットであって、
前記脚部は、長板状で、長手方向の両端部に係合凹凸部と、中央部に切欠部と、切欠部を挟んで厚さ方向に貫通する２つの開口部とが形成された６つの脚部部材を用いて形成され、４つの前記脚部部材が各々前記係合凹凸部同士を係合させて着脱可能に連結して外枠が形成され、２つの前記脚部部材が前記切欠部同士を係合させて着脱可能に連結して十字形の内枠が形成され、前記内枠を構成する前記脚部部材の各々の前記係合凹凸部が、前記外枠を構成する前記脚部部材の各々の前記切欠部と着脱可能に係合することで、前記内枠が前記外枠に連結されていることを特徴とするパレット。
【請求項２】
前記面板は、板状で周縁部に係合凹凸部が形成された複数の面板部材が、前記係合凹凸部同士を係合することで着脱可能に連結して形成されることを特徴とする請求項１に記載のパレット。
【請求項３】
上面及び下面が開口する角筒状の周壁をさらに備え、
前記面板は上面周縁部に突起を有し、
前記周壁は前記面板の上面周縁部に前記突起を介して着脱可能に取り付けられることを特徴とする請求項１又は２に記載のパレット。
【請求項４】
前記周壁は、上面視Ｌ字形の複数の側板部材からなることを特徴とする請求項３に記載のパレット。
【請求項５】
前記面板の下面側周縁部に下方に突出する係止突起が形成され、前記面板が前記脚部に載置された状態において、前記脚部は前記面板の前記係止突起に挟まれた状態となることを特徴とする請求項１乃至４のいずれかに記載のパレット。
【請求項６】
前記脚部部材の前記開口部と前記係合凹凸部との間に厚さ方向に貫通する孔部が形成されていることを特徴とする請求項１乃至５のいずれかに記載のパレット。
【請求項７】
前記脚部部材の前記開口部の内周面の上下の相対向する位置にバンド溝が形成されていることを特徴とする請求項１乃至６のいずれかに記載のパレット。
【請求項８】
前記脚部部材の一面側に突起が形成されていると共に、他面側であって前記突起に対応する位置に穴部が形成されていることを特徴とする請求項１乃至７のいずれかに記載のパレット。
【発明の詳細な説明】
【技術分野】
【０００１】
本発明は、各種物品を載置して移送するためのパレットに関する。
【背景技術】
【０００２】
流通や運輸の業界において広く用いられているパレットは、物品を載置する台座になると共に、物品を載置した状態でパレットごとフォークリフトやハンドリフトにより移送することで、物品の移送を容易にするものである。そして、物品を載置していない状態のパレットは、倉庫等において所定の場所に積み重ねられ保管されている。
【０００３】
しかし、パレットは大きくて嵩張るものであり、保管に際して広いスペースが必要となっている。そこで、保管に要するスペースを削減することのできるパレットが求められている。
【０００４】
このようなパレットとして、分解可能であり、保管時には分解した状態で部品毎にまとめて保管することのできるパレットがある。分解可能なパレットの例として、特許文献１に記載されているパレットがある。このパレットは、シート状部材を断面コ字状に屈曲して形成された横方向部材と、並列配置された横方向部材に掛け渡される縦方向部材とを備えて構成されていて、横方向部材の上側に形成されたスリットと、縦方向部材の下側に形成されたスリットとをかみ合わせることで組み立てられる。
【先行技術文献】
【特許文献】
【０００５】
【特許文献１】実公平７−４７３２４号公報
【発明の概要】
【発明が解決しようとする課題】
【０００６】
特許文献１に記載されているパレットは、分解した状態であっても横方向部材が嵩張るため、パレット保管時の省スペース性が十分ではなく、改善の余地があった。
【０００７】
そこで、本発明は、上記解決課題に鑑みてなされたものであって、分解可能であり、分解後に各部品が嵩張ることなく、保管に要するスペースを削減することのできるパレットを提供することを目的とする。
【課題を解決するための手段】
【０００８】
上記目的を達成するため、本発明は、面板と、前記面板が載置される脚部とを備えたパレットであって、前記脚部は、長板状で、長手方向の両端部に係合凹凸部と、中央部に切欠部と、切欠部を挟んで厚さ方向に貫通する２つの開口部とが形成された６つの脚部部材を用いて形成され、４つの前記脚部部材が各々前記係合凹凸部同士を係合させて着脱可能に連結して外枠が形成され、２つの前記脚部部材が前記切欠部同士を係合させて着脱可能に連結して十字形の内枠が形成され、前記内枠を構成する前記脚部部材の各々の前記係合凹凸部が、前記外枠を構成する前記脚部部材の各々の前記切欠部と着脱可能に係合することで、前記内枠が前記外枠に連結されていることを特徴とする。
【０００９】
本発明のパレットは、脚部が複数の脚部部材で分解可能に構成され、脚部部材は同一形状の板状に形成されているため、分解後に嵩張ることなく、積み重ねて保管することができ、保管に要するスペースを削減することができる。
【００１０】
前記パレットの面板は、板状で周縁部に係合凹凸部が形成された複数の面板部材が、前記係合凹凸部同士を係合することで着脱可能に連結して形成されるものとしてもよい。面板部材も同一形状の板状に形成されているため、分解後に嵩張ることなく、積み重ねて保管することができ、保管に要するスペースを削減することができる。
【００１１】
前記パレットは、上面及び下面が開口する角筒状の周壁をさらに備え、前記面板は上面周縁部に突起を有し、前記周壁は前記面板の上面周縁部に前記突起を介して着脱可能に取り付けられるものとしてもよい。周壁を備えることにより、パレットをかごパレットとすることができる。
【００１２】
前記パレットの周壁は、上面視Ｌ字形の複数の側板部材で構成することができ、平面状の側板部材で構成する場合よりも、強度に優れると共に、パレットの組立作業を容易にすることができる。
【００１３】
前記パレットは、前記面板の下面側周縁部に下方に突出する係止突起が形成され、前記面板が前記脚部に載置された状態において、前記脚部は前記面板の前記係止突起に挟まれた状態となるようにしてもよい。これにより面板の水平方向のずれを防止することができる。
【００１４】
前記パレットは、前記脚部部材の前記開口部と前記係合凹凸部との間に厚さ方向に貫通する孔部が形成されていてもよい。これにより、脚部部材を軽量化することができる。また、パレットの分解保管時に、保管場所となる施設の壁面に突設された鉄パイプ等の保持部材に孔部を引っ掛けることで、壁面に脚部部材を係止して保持することが可能となる。
【００１５】
前記パレットは、前記脚部部材の前記開口部の内周面の上下の対向する位置にバンド溝が形成されていてもよい。これにより、保管時に積み重ねられた脚部部材を結束手段によりずれることなく結束することができる。
【００１６】
前記パレットは、前記脚部部材の一面側に突起が形成されていると共に、他面側であって前記突起に対応する位置に穴部が形成されていてもよい。これにより、積み重ねられた脚部部材同士がずれることを防止することができる。
【発明の効果】
【００１７】
以上のように、本発明によれば、パレットが分解可能であると共に、分解後の各部品が嵩張ることがなく、保管に要するスペースを削減することができる。
【図面の簡単な説明】
【００１８】
【図１】本発明に係るパレットの第１実施形態を示す斜視図である。
【図２】図１のパレットに用いられる面板部材を示す斜視図である。
【図３】図１のパレットに用いられる脚部部材を示す図であって、（ａ）は正面図、（ｂ）は平面図、（ｃ）は斜視図である。
【図４】脚部の内枠が組み立てられる途中の状態を示す斜視図である。
【図５】完成した内枠を示す斜視図である。
【図６】脚部の内枠に外枠を組み付ける様子を示す斜視図である。
【図７】完成した脚部を示す斜視図である。
【図８】脚部に面板が載置される様子を示す斜視図である。
【図９】脚部部材と面板部材が各々重ねられて保管されている様子を示す斜視図である。
【図１０】本発明に係るパレットの第２実施形態を示す斜視図である。
【図１１】図１０のパレットに用いられる面板部材を示す斜視図である。
【図１２】図１０のパレットに用いられる側板部材を示す斜視図である。
【図１３】脚部に面板が載置された状態を示す斜視図である。
【図１４】脚部部材、面板部材及び側板部材が各々重ねられて保管されている様子を示す斜視図である。
【発明を実施するための形態】
【００１９】
次に、本発明を実施するための形態について、図面を参照しながら詳細に説明する。
【００２０】
図１は、本発明に係るパレットの第１実施形態を示し、このパレット１は、各々樹脂製の面板２と脚部３とで構成される。
【００２１】
面板２は、４枚の面板部材２０を鳩尾継により連結して形成されている。尚、本発明においては面板部材２０の連結方法は鳩尾継に限らず、他の連結方法を採用することもできる。
【００２２】
面板部材２０は、図２に示すように、板状の本体２１の周縁部に、係合凹凸部２２が形成されている。
【００２３】
本体２１は、略々正方形状の板状部材であり、周縁部を除き格子状に形成されていて、厚さ方向に貫通する複数の孔部を有している。複数の孔部を有する格子状に形成されていることにより、本体２１は軽量で機械的強度に優れたものとなっている。
【００２４】
係合凹凸部２２は、本体２１の周縁部において、この本体２１の延設方向に形成され、隣接する２つの辺に１つずつ形成されている凸部２２１と、他の隣接する２つの辺に２つずつ形成されている凸部２２２と、２つの凸部２２２の間に形成されている凹部２２３とにより構成されている。
【００２５】
凸部２２１は、凹部２２３と鳩尾継により結合可能な形状を有している。面板部材２０の凸部２２１と、他の面板部材２０の凹部２２３とが鳩尾継により結合することにより、面板部材２０同士を連結することができる。そして、４枚の面板部材２０が、突起２２１と凹部２２３との鳩尾継により連結され、面板２が形成される
また、凸部２２１、２２２の先端側下面には、各々下方へ突出する係止突起２２１ａ、２２２ａが形成されている。面板２を脚部３に載置すると、面板２の各辺に設けられた係止突起２２１ａ、２２２ａが脚部３の側面を四方から挟んだ状態となり、面板２が脚部３上を水平方向に移動することができなくなる。これにより、脚部３に載置された面板２の水平方向のずれを防止することができる。
【００２６】
図１に示す脚部３は、図７に示すように、互いに結合可能な６つの脚部部材３０を格子状に組み合わせて構成され、十字状に組み合わされた２つの脚部部材３０からなる内枠３００と、四角状に組み合わされた４つの脚部部材３０からなる外枠３１０とを備えている。
【００２７】
各々の脚部部材３０は、図３に示すように、長板状の本体３１の長手方向の両端部に係合凹凸部３２が形成されると共に、中央部には大切欠部３３及び小切欠部３４が形成されている。
【００２８】
さらに、脚部部材３０は、本体３１を厚さ方向に貫通する２つの開口部３６が、大切欠部３３及び小切欠部３４を挟んで形成されている。大切欠部３３と小切欠部３４との間には連結部３５が形成されている。
【００２９】
また、脚部部材３０は、開口部３６と係合凹凸部３２との間に厚さ方向に貫通する孔部３７が形成されている。
【００３０】
さらに、脚部部材３０は、その一面側であって開口部３６と孔部３７との間に突起３８が形成されると共に、他面側であって突起３８に対応する位置に穴部３９が形成されている。
【００３１】
係合凹凸部３２は、脚部部材３０の長手方向の両端部に形成されている。係合凹凸部３２は、図３の上側から順に、第１係合凹部３２１、第１係合凸部３２２、第２係合凹部３２３及び第２係合凸部３２４からなる。
【００３２】
第１係合凹部３２１と第２係合凸部３２４とが係合可能であると共に、第２係合凹部３２３と第１係合凸部３２２とが係合可能となっている。そのため、脚部部材３０同士は、第１係合凹部３２１と第２係合凸部３２４、及び第２係合凹部３２３と第１係合凸部３２２とを係合することにより、Ｌ字状に結合することができる。
【００３３】
大切欠部３３及び小切欠部３４は、同一直線状に形成され、各々第１係合凸部３２２及び第２係合凸部３２４と係合可能となっている。そして、大切欠部３３及び小切欠部３４を隔てる連結部３５は、第２嵌合凹部３２３と係合可能となっている。そのため、脚部部材３０同士は、一方の脚部部材３０の大切欠部３３、連結部３５及び小切欠部３４に、他方の脚部部材３０の第１係合凸部３２２、第２嵌合凹部３２３及び第２係合凸部３２４が各々係合することにより、Ｔ字状に連結することができる。
【００３４】
また、大切欠部３３同士を係合することができる。そのため、脚部部材３０同士は、双方の大切欠部３３同士を係合させることにより、十字状に連結することができる。
【００３５】
内枠３００は、図５に示すように、２つの脚部部材３０を、大切欠部３３同士を係合させて十字状に連結することにより形成される。
【００３６】
また、外枠３１０は、図７に示すように、４つの脚部部材３０を、第１係合凹部３２１と第２係合凸部３２４、及び第２係合凹部３２３と第１係合凸部３２２とを係合させ、四角形状に連結することにより形成される。
【００３７】
そして、内枠３００と外枠３１０とは、図７に示すように、内枠３００を構成する脚部部材３０の第１係合凸部３２２、第２嵌合凹部３２３及び第２係合凸部３２４を、各々外枠３１０を構成する脚部部材３０の大切欠部３３、連結部３５及び小切欠部３４に係合させることで連結されている。このとき、内枠３００を構成する脚部部材３０と外枠３１０を構成する脚部部材３０とはＴ字状に連結される。
【００３８】
開口部３６は、フォークリフトやハンドリフトのフォークが挿入される孔である。脚部部材３０には、大切欠部３３と小切欠部３４とを挟んで２つの長孔状の開口部３６が形成されている。開口部３６の大切欠部３３側の内周面は、応力集中を防止するために円弧状に形成されている。
【００３９】
また、図３に示すように、開口部３６の内周面の上下の対向する位置には、バンド溝３６１が形成されている。脚部部材３０を保管する際、積み重ねられた脚部部材３０はこのバンド溝３６１の部分において結束バンド等の結束手段により結束される。バンド溝３６１により、結束手段がずれることがない。
【００４０】
孔部３７は、脚部部材３０の短手方向に延びる楕円形状の孔である。孔部３７によって、脚部部材３０を軽量化することができる。また、パレット１の分解保管時や移動時に孔部３７を利用することもできる。
【００４１】
突起３８及び穴部３９は、積み重ねられた脚部部材３０同士がずれることを防止するために設けられる。脚部部材３０が積み重ねられると、下段に位置する脚部部材３０の突起３８が、上段に位置する脚部部材の穴部３９と嵌合することにより、脚部部材３０同士の水平方向へのずれを防止することができる。
【００４２】
次に、上述した構成を備えるパレット１の組立方法について、図４乃至図８を参照しながら説明する。
【００４３】
まず、脚部３を組み立てる。図４及び図５に示すように、２つの脚部部材３０が十字状に連結され、内枠３００が組み立てられる。次に、図６及び図７に示すように、内枠３００を構成する２つの脚部部材３０の各々の端部に脚部部材３０がＴ字状に結合されることで、内枠３００の外側に外枠３１０が組み立てられる。外枠３１０を構成する脚部部材３０は、隣接する脚部部材３０同士がＬ字状に連結されると共に、全体として四角形状に連結される。
【００４４】
次に、４枚の面板部材２０の係合凹凸部２２（図２参照）を利用して鳩尾継により面板２を組み立てる。
【００４５】
次に、図８に示すように脚部３上に面板２を載置し、パレット１（図１参照）が完成する。尚、この状態では、面板２を構成する各々の面板部材２０の係止突起２２１ａ、２２２ａ（図２及び図８参照）が脚部３の側面を四方から挟んだ状態となり、脚部３に載置された面板２の水平方向のずれを防止している。
【００４６】
パレット１は、上述の組立方法と逆の手順で分解することができる。パレット１を保管する際には、組み立てられた状態で保管してもよいが、図９に示すように、分解して部品毎に重ねて保管した方が、保管に要するスペースを削減することができる。
【００４７】
次に、本発明に係るパレットの第２実施形態について、図１０乃至図１４を参照しながら説明する。
【００４８】
図１０に示すように、このパレット１０は、各々樹脂製の面板４０、脚部３及び周壁５で構成されるかごパレットである。
【００４９】
脚部３は、上述した実施の形態に係るパレット１と同じ脚部部材３０により同様に構成されている。
【００５０】
面板４０は、上述した実施の形態と同様に、４枚の面板部材４１が連結されて構成されている。
【００５１】
面板部材４１は、図１１に示すように、略々正方形状の板状部材であり、周縁部には水平方向に凸部４２、４３と凹部４４とが形成されている。この凸部４２、４３と凹部４４とを用いて鳩尾継により面板部材４１同士が結合される。また、面板部材４１の凸部４２、４３には、周壁５との連結用に、上方へ突出する係止突起４２１ｂ、４３１ｂが形成されている。
【００５２】
面板部材４１は、周縁部を除き格子状に形成され、厚さ方向に貫通する複数の孔部を有している。これにより、面板部材４１は軽量で機械的強度に優れたものとなっている。
【００５３】
凸部４２、４３の下面側には係止突起４２１ａ（凸部４３の係止突起は図示を省略）が形成されている。面板４０を脚部３に載置すると、第１実施形態と同様に、面板４０の各辺に設けられた係止突起４２１ａ等が脚部３の側面を四方から挟んだ状態となり、面板４０が脚部３上を水平方向に移動することができなくなる。これにより、脚部３に載置された面板４０の水平方向のずれを防止することができる。
【００５４】
周壁５は、図１０に示すように、４つの側板部材５０からなり、各々の側板部材５０は、図１２に示すようにＬ字状に形成され、リブ５１、５２が設けられる。Ｌ字状に形成された側板部材５０は、１枚の独立したパネル状に形成する場合よりも強度に優れると共に、パレット１０の組立作業が容易になる。尚、側板部材５０をパネル状に形成した場合には、Ｌ字形の場合と比較して強度と組立容易性に劣るが、その分保管時の省スペース性を向上させることができる。また、側板部材５０がＬ字状又はパネル状のいずれに形成した場合でも、側板部材５０の上部にはめ込み部材を設けるなどして隣接する側板部材５０を繋げることで、周壁５の強度を高めることができる。
【００５５】
リブ５１、５２は、側板部材５０の強度を向上させるために配設され、リブ５１は水平方向に連続して形成されると共に、リブ５２は鉛直方向に複数段にわたって形成される。
【００５６】
パレット１０は、図１０に示すように、脚部３の上に面板４０を載置すると共に、面板４０上に周壁５が係止突起４２１ｂ、４３１ｂ（図１１参照）を介して取り付けられて構成される。
【００５７】
上記パレット１０についても分解が可能であり、図１４に示すように、部材毎に重ねて保管することができ、分解後の各部品が嵩張ることがないため、保管に要するスペースを削減することができる。
【符号の説明】
【００５８】
１  パレット
２  面板
３  脚部
５  周壁
１０  パレット
２０  面板部材
２１  本体
２２  係合凹凸部
３０  脚部部材
３１  本体
３２  係合凹凸部
３３  大切欠部
３４  小切欠部
３６  開口部
３５  連結部
３７  孔部
３８  突起
３９  穴部
４０  面板
４１  面板部材
４２  凸部
４３  凸部
４４  凹部
５０  側板部材
２２１  凸部
２２１ａ、２２２ａ  係止突起
２２２  凸部
２２３  凹部
３００  内枠
３１０  外枠
３２１  第１係合凹部
３２２  第１係合凸部
３２３  第２係合凹部
３２４  第２係合凸部
３６１  バンド溝
４２１ａ、４２１ｂ  係止突起
４３１ｂ  係止突起
【図１】
2018138466.tif 000003
【図２】
2018138466.tif 000004
【図３】
2018138466.tif 000005
【図４】
2018138466.tif 000006
【図５】
2018138466.tif 000007
【図６】
2018138466.tif 000008
【図７】
2018138466.tif 000009
【図８】
2018138466.tif 000010
【図９】
2018138466.tif 000011
【図１０】
2018138466.tif 000012
【図１１】
2018138466.tif 000013
【図１２】
2018138466.tif 000014
【図１３】
2018138466.tif 000015
【図１４】
2018138466.tif 000016